(57)【要約】【課題】施工性を向上させた二重床構造を提供する。【解決手段】二重床構造１００は、床スラブ１上に、略同一の間隔で設置された複数の支持脚２と、該支持脚２に支持された床材３と、該床材３上に立設された壁材５と、を備え、該壁材５の直下には、支持脚２が配置されておらず、床材３は、支持脚２に支持される下側床パネル３０と、該下側床パネル３０の上側に設置され、壁材５を支持する上側床パネル４０と、を有することを特徴とする。【選択図】図２
2017160609.tif 000002
【特許請求の範囲】
【請求項１】
床スラブ上に、略同一の間隔で設置された複数の支持脚と、
該支持脚に支持された床材と、
該床材上に立設された壁材と、を備え、
前記壁材の直下には、前記支持脚が配置されていないことを特徴とする二重床構造。
【請求項２】
前記床材は、
前記支持脚に支持された下側床パネルと、
該下側床パネルの上側に設置され、前記壁材を支持する上側床パネルと、を有することを特徴とする請求項１に記載の二重床構造。
【請求項３】
前記下側床パネルは、短辺と長辺とを有する矩形状に形成された単位パネルが複数隣接配置されて構成され、
前記支持脚が配置される前記間隔と、前記単位パネルの前記短辺の長さとは、略同一であり、
前記短辺が隣り合う２脚の前記支持脚の間にまたがって配置されるように、前記単位パネルが設置されていることを特徴とする請求項２に記載の二重床構造。
【発明の詳細な説明】
【技術分野】
【０００１】
本発明は、二重床構造に関するものである。
【背景技術】
【０００２】
従来から、マンション等の集合住宅においては、床スラブ上に支持脚を設置し、支持脚にパーティクルボードや合板等の床下地材を設置し、床下地材の上に床仕上げ材を敷設した二重床構造が採用されている。
【０００３】
例えば、下記の特許文献１では、床下地材の上に間仕切り壁が立設される箇所では、間仕切り壁の直下の位置に、床下地材を貫通して支持脚が配置され、間仕切り壁が固定された壁支持材を支持脚で支持する二重床構造が提案されている。この二重床構造では、支持脚には当該支持脚の底面にまで到達する中空部が上下方向に設けられ、当該中空部に充填された接着剤により、支持脚が床スラブに固定される構成である。
また、床下地材の下側且つ間仕切り壁の直下の位置に、支持脚が配置され、当該支持脚により、床下地材を介して直上の間仕切り壁を支持する構成も知られている。
【先行技術文献】
【特許文献】
【０００４】
【特許文献１】特開２００２−２８５６６６号公報
【発明の概要】
【発明が解決しようとする課題】
【０００５】
しかしながら、上記の特許文献１に記載された構成では、床下地材に、支持脚を挿通させるための挿通孔を設ける作業、及び支持脚を床スラブに固定するために接着剤を充填する等の作業が生じるとともに、接着剤が硬化するまで時間を要するため、施工に手間や時間をかかるという問題点がある。
また、床下地材を介して支持脚で直上の間仕切り壁を支持させる構成では、支持脚を設置する箇所及び間仕切り壁を設置する箇所を床スラブ上に墨出ししなくてはならず、墨出しに時間がかかるという問題点がある。さらに、間仕切り壁の直下に支持脚を配置する箇所では、間仕切り壁を支持脚に固定するボルト等の固定具を設けるための加工等を、床下地材に設けなくてはならず、施工手間がかかるという問題点がある。
【０００６】
そこで、本発明は、上記事情に鑑みてなされたものであり、施工性を向上させた二重床構造を提供する。
【課題を解決するための手段】
【０００７】
上記目的を達成するために、本発明は以下の手段を採用している。
すなわち、本発明に係る二重床構造は、床スラブ上に、略同一の間隔で設置された複数の支持脚と、該支持脚に支持された床材と、該床材上に立設された壁材と、を備え、前記壁材の直下には、前記支持脚が配置されていないことを特徴とする。
【０００８】
このように構成された二重床構造では、複数の支持脚は床スラブ上に略同一の間隔で設置され、床材上に立設された壁材の直下には支持脚が配置されていない構成である。よって、支持脚を壁材の直下に設置する必要がないため、床スラブ上における壁材の位置の墨出しが不要となる。また、支持脚を床スラブ上に略同一の間隔で設置すればよいため、床スラブ上における墨出し作業に時間を要しない。さらに、壁材を支持脚に固定するための加工を床材に設ける必要がない。したがって、壁材の設置に伴う施工性を向上させることができる。
【０００９】
また、本発明に係る二重床構造では、前記床材は、前記支持脚に支持された下側床パネルと、該下側床パネルの上側に設置され、前記壁材を支持する上側床パネルと、を有することが好ましい。
【００１０】
このように構成された二重床構造では、床材が下側床パネルと上側床パネルとに上下方向に分割されている。作業者は下側床パネルと上側床パネルとをそれぞれ別々に運搬して、設置することができる。よって、同一質量の床材が上下方向に分割されていない一枚もので構成されている場合と比較して、運搬時、設置時等の作業者の負担を低減することができる。
【００１１】
また、本発明に係る二重床構造では、前記下側床パネルは、短辺と長辺とを有する矩形状に形成された単位パネルが複数隣接配置されて構成され、前記支持脚が配置される前記間隔と、前記単位パネルの前記短辺の長さとは、略同一であり、前記短辺が隣り合う２脚の前記支持脚の間にまたがって配置されるように、前記単位パネルが設置されていてもよい。
【００１２】
このように構成された二重床構造では、下側床パネルの単位パネルを設置する際には、単位パネルの短辺が隣り合う２脚の支持脚の間にまたがって配置されるように、単位パネルを設置すればよいため、単位パネルの位置決めを容易にすることができる。また、隣り合う２脚の支持脚の間にまたがって配置される短辺は支持脚で支持されるため、短辺が下方にたわむことがない。
【発明の効果】
【００１３】
本発明に係る二重床構造によれば、施工性を向上させることができる。
【図面の簡単な説明】
【００１４】
【図１】本発明の一実施形態に係る二重床構造を示す平面図である。
【図２】図１のＩ−Ｉ断面図である。
【発明を実施するための形態】
【００１５】
本発明の一実施形態に係る二重床構造について、図面を用いて説明する。
図１は、本発明の一実施形態に係る二重床構造を示す平面図である。図２は、図１のＩ−Ｉ断面図である。図１において、上側床パネルの図示を省略している。
本実施形態の二重床構造は、例えば、マンションやアパート等の集合住宅に設置されるものである。
【００１６】
図２に示すように、二重床（二重床構造）１００は、床スラブ１と、床スラブ１上に設置された複数の支持脚２と、支持脚２に支持された床材３と、を備えている。
【００１７】
各支持脚２は、床スラブ１上に設置される台座２１と、台座２１から上方に延びる支柱２２と、支柱２２に支持された支承板２３と、を備えている。
【００１８】
図１に示すように、支持脚２は、床スラブ１上に沿い、互いに直交するＸ方向、Ｙ方向に略同一ピッチ（等間隔）で配置されている。本実施形態では、居室の境界の壁等の壁パネルＷに沿う方向をＹ方向としていて、支持脚２はＸ，Ｙ両方向に約４５０ｍｍピッチで配置されている。例えば、Ｘ方向のピッチＡは４６５ｍｍであり、Ｙ方向のピッチＢは４５９ｍｍである。
【００１９】
図２に示すように、床材３は、支持脚２に支持される下側床パネル３０と、下側床パネル３０の上側に設置された上側床パネル４０と、を有している。
【００２０】
図１に示すように、下側床パネル３０は、複数の単位パネル３１がＸ方向及びＹ方向にそれぞれ隣接配置されて構成されている。各単位パネル３１は、支持脚２の支承板２３（図２参照）にビス等の固定具（不図示）で固定されている。
【００２１】
単位パネル３１は、短辺３２と長辺３３とを有する矩形状に形成されている。短辺３２の長さは、支持脚２の配置ピッチと略同一とされている。本実施形態では、単位パネル３１は、例えば短辺３２の長さ４５０ｍｍ×長辺３３の長さ１８２０ｍｍ×厚さ２０ｍｍのパーティクルボードが採用されている。隣接する単位パネル３１間どうしは、例えば１５ｍｍの隙間（目地）をあけて配置されている。
【００２２】
単位パネル３１は、短辺３２がＸ方向に沿い、長辺３３がＹ方向に沿うように配置されている。また、単位パネル３１の短辺３２は、Ｘ方向に隣り合う複数の支持脚２間にまたがって配置されている。また、単位パネル３１の長辺３３は、Ｙ方向に隣り合う複数の支持脚２間にまたがって配置されている。本実施形態では、単位パネル３１の短辺３２はＸ方向に隣り合う２脚の支持脚２間にまたがって配置され、単位パネル３１の長辺３３はＹ方向に並べられた５脚の支持脚２間にまたがって配置されている。
【００２３】
本実施形態では、上側床パネル４０（図２参照）は、例えば厚さ１２ｍｍの合板が採用され、所定の大きさの合板がＸ方向及びＹ方向に隣接配置されている。各合板は、支持脚２の単位パネル３１にビス等の固定具（不図示）で固定されている。合板の目地は、単位パネル３１の目地と平面視で重ならない位置に配置することが好ましい。
【００２４】
図２に示すように、上側床パネル４０上には、床仕上げ材４１が設けられている。本実施形態では、床仕上げ材４１は、例えば厚さ１２ｍｍのフローリングが採用され、所定の大きさのフローリングがＸ方向及びＹ方向（図１参照）に隣接配置されている。
【００２５】
床材３の上側床パネル４０上には、間仕切り壁（壁材）５が設置されている。上側床パネル４０における床仕上げ材４１が設けられていない箇所に、間仕切り壁５が設置されている。
【００２６】
間仕切り壁５は、上側床パネル４０上に設置される下レール５１と、天井面等に設置される上レール（不図示。以下同じ。）と、下レール５１と上レールの間に配置される複数のスタッド５２と、スタッド５２等に支持された壁下地材５３と、壁下地材５３に沿って設けられた壁仕上げ材５４と、を有している。
【００２７】
壁下地材５３として、例えば、石膏ボードを採用することができる。また、壁仕上げ材
５４として、例えば、表面に化粧が設けられた化粧板を採用することができる。
【００２８】
間仕切り壁５の直下には、支持脚２は配置されていない。図１に示すように、本実施形態では、Ｘ方向に沿って配置された間仕切り壁５Ａ及びＹ方向に沿って配置された間仕切り壁５Ｂは、それぞれ平面視で隣り合う支持脚２間に配置されている。図２に示すように、壁仕上げ材５４の下端部には、巾木５５が設けられている。
【００２９】
次に、上記の二重床の施工方法について説明する。
まず、支持脚設置工程を行う。
作業者は、床スラブ１上に、支持脚２を設置する。
この際に、床スラブ１上の任意の点を起点として、支持脚２をＸ方向及びＹ方向に略同一ピッチで設置する。
【００３０】
本実施形態では、図１に示す壁パネルＷ沿いの点Ｐを基準点として、基準点から所定距離離れた位置に起点支持脚２Ａを設置する。そして、起点支持脚２ＡからＸ方向及びＹ方向に、約４５０ｍｍピッチで、順次支持脚２を設置していく。
【００３１】
次に、床材設置工程を行う。
作業者は、支持脚２に床材３を支持させる。本実施形態では、Ｘ方向に隣り合う２脚の支持脚２をまたがるように単位パネル３１の短辺３２を配置し、Ｙ方向に並べられた５脚の支持脚２をまたがるように単位パネル３１の長辺３３を配置するように、単位パネル３１を設置する。単位パネル３１の短辺３２及び長辺３３をそれぞれ支持脚２の支承板２３に不図示の固定具で固定する。また、単位パネル３１の上側に上側床パネル４０を不図示の固定具で固定する。
【００３２】
次に、壁材設置工程を行う。
作業者は、設計図等で定められた所定の位置に間仕切り壁５を設置する。
間仕切り壁５の下レール５１を上側床パネル４０に固定し、上レールを天井面等に固定し、下レール５１と上レールとの間に複数のスタッド５２を設置する。そして、壁下地材５３をスタッド５２等に固定し、壁仕上げ材５４を壁下地材５３に固定する。
【００３３】
次に、仕上げ材設置工程を行う。
作業者は、上側床パネル４０の上面に床仕上げ材４１を設置する。また、壁仕上げ材５４の下端部に、巾木５５を設置する。
【００３４】
このように構成された二重床１００では、複数の支持脚２は床スラブ１上に略同一の間隔で設置され、床材３上に立設された間仕切り壁５の直下には支持脚２が配置されていない構成である。よって、支持脚２を間仕切り壁５の直下に設置する必要がないため、床スラブ１上における間仕切り壁５の位置の墨出しが不要となる。また、支持脚２を床スラブ１上に略同一の間隔で設置すればよいため、床スラブ１上における墨出し作業に時間を要しない。さらに、間仕切り壁５を支持脚２に固定するための加工を床材３に設ける必要がない。したがって、間仕切り壁５の設置に伴う施工性を向上させることができる。
【００３５】
また、床材３が下側床パネル３０と上側床パネル４０とに上下方向に分割されている。作業者は下側床パネル３０と上側床パネル４０とをそれぞれ別々に運搬して、設置することができる。よって、同一質量の床材３が上下方向に分割されていない一枚もので構成されている場合と比較して、運搬時、設置時等の作業者の負担を低減することができる。
【００３６】
また、下側床パネル３０の単位パネル３１を設置する際には、単位パネル３１の短辺３２が隣り合う２脚の支持脚２の間にまたがって配置されるように設置すればよいため、単位パネル３１の位置決めを容易にすることができる。また、隣り合う２脚の支持脚２の間にまたがって配置される短辺３２は支持脚２で支持されるため、短辺３２が下方にたわむことがない。
【００３７】
なお、上述した実施の形態において示した組立手順、あるいは各構成部材の諸形状や組み合わせ等は一例であって、本発明の主旨から逸脱しない範囲において設計要求等に基づき種々変更可能である。
【００３８】
例えば、上記に示す実施形態では、床材３は上側床パネル４０と下側床パネル３０とに上下方向に分割されているが、本発明はこれに限られず、上側床パネル４０と下側床パネル３０とに分割されておらず上下方向に一体の床材であってもよい。
【００３９】
また、上記に示す実施形態では、単位パネル３１の短辺３２及び長辺３３がそれぞれ、複数の支持脚２間にまたがるように配置、換言すると支持脚２の直上に単位パネル３１の継ぎ目が配置されている。しかし、本発明はこれに限られず、支持脚２の直上に単位パネル３１の継ぎ目が配置されない構成であってもよい。この場合には、隣接する単位パネル３１同士を隙間なく配置して、互いに連結させることが好ましい。
【００４０】
また、上記に示す実施形態では、壁パネルＷ沿いの点Ｐから所定距離離れた位置を起点として、支持脚２の設置を始めているが、本発明はこれに限られず、任意の位置から始めてよい。
【符号の説明】
【００４１】
１…床スラブ
２…支持脚
２Ａ…起点支持脚
３…床材
５…間仕切り壁（壁材）
３０…下側床パネル
３１…単位パネル
３２…短辺
３３…長辺
４０…上側床パネル
４１…床仕上げ材
５１…下レール
５２…スタッド
５３…壁下地材
５４…壁仕上げ材
５５…巾木
１００…二重床（二重床構造）
Ｗ…壁パネル
【図１】
2017160609.tif 000003
【図２】
2017160609.tif 000004